(57)【特許請求の範囲】
【請求項１】
複数の交換機における同じノード別の客室情報をそれぞれ別のノードのホストコンピュータに処理させるホテル用構内交換システムであって、前記複数の交換機に共通に接続されかつ前記客室に対応したノードを検索するためのデータベースを有し、前記客室情報を基に処理ノードを前記データベースから検索し、検索された処理ノードのホストコンピュータに前記客室情報を処理させるよう構成したことを特徴とするホテル用構内交換システム。
【請求項２】
前記検索された処理ノードのホストコンピュータに前記客室情報を転送するイベント転送手段を含むことを特徴とする請求項１記載のホテル用構内交換システム。
【発明の詳細な説明】
【０００１】
【発明の属する技術分野】
本発明はホテル用構内交換システムに関し、特にホテルシステムにおいて交換機を含むネットワークのホストコンピュータ接続方式に関する。
【０００２】
【従来の技術】
従来、この種のホストコンピュータの接続方式においては、交換機との１対１の接続を目的として用いられている。例えば、特開昭６４−８２７９２号公報には、図５に示すように、ＣＰＵ（中央処理装置）６１ａを有するＰＢＸ（ｐｒｉｖａｔｅ  ｂｒａｎｃｈ  ｅｘｃｈａｎｇｅ）６１とホストコンピュータ６２とが、通信路１０１と端末制御情報路１０２と特殊データ伝送路１０３とからなるコンピュータ回線１００で接続された例が記載されている。
【０００３】
上記のシステムにおいて、ＰＢＸ１は客室内の電話機６４，６５を収容接続する端末接続装置６３と、通話路２０１と制御情報路２０２とからなる端末回線２００によって接続されている。
【０００４】
上記のホストコンピュータの接続方式ではホストコンピュータ６２が端末からデータを受信する場合、端末からのデータを端末回線２００を介してＣＰＵ６１ａで記憶し、ホストコンピュータ６２はコンピュータ回線１００を介してＣＰＵ６１ａから発呼端末の番号を受信して情報を処理している。
【０００５】
【発明が解決しようとする課題】
しかしながら、従来のホストコンピュータの接続方式では、ホストコンピュータと交換機との１対１の接続しか考慮されておらず、複数の交換機においての複数のホストコンピュータの接続ではノード毎に処理するホストコンピュータが決まっており、同じノード内の別の客室では同じノード内での客室それぞれに対する処理ホストコンピュータを設定するデータがないため、客室単位でそれぞれ別のノードのホストコンピュータによる処理を行うことができない。
【０００６】
また、従来のホストコンピュータの接続方式では、処理するホストコンピュータを変更するためにＰＢＸ内のデータを変更しなければならないので、ホストコンピュータの変更を容易に行うことができない。
【０００７】
そこで、本発明の目的は上記の問題点を解消し、多種多様な客室情報の管理を行うことができ、処理ホストコンピュータの変更を容易に行うことができるホテル用構内交換システムを提供することにある。
【０００８】
【課題を解決するための手段】
本発明によるホテル用構内交換システムは、複数の交換機における同じノード別の客室情報をそれぞれ別のノードのホストコンピュータに処理させるホテル用構内交換システムであって、前記複数の交換機に共通に接続されかつ前記客室に対応したノードを検索するためのデータベースを備え、前記客室情報を基に処理ノードを前記データベースから検索し、検索された処理ノードのホストコンピュータに前記客室情報を処理させるよう構成している。
【０００９】
すなわち、本発明のホテル用構内交換システムは、複数の交換機における同じノード別の客室情報をそれぞれ別のノードのホストコンピュータに処理させるシステムであり、該交換機に共通にインタネットによって接続された客室に対応したノードを検索するデータベースを備え、客室情報からデータベースによって処理ノードを検索し、処理ノードのホストコンピュータに処理させている。
【００１０】
より具体的に、本発明のホテル用構内交換システムでは、異なる客室各々の客室情報をそれぞれ別のノードのホストコンピュータに処理させる際に、検出された客室情報によって、インタネットで接続されたデータベースに対して処理ノードの検索を行い、その検索された処理ノードのホストコンピュータにイベント転送回路から客室情報をそれぞれ転送して処理させている。
【００１１】
これによって、ノード内の客室それぞれに処理させるホストコンピュータを別のノードにすることが可能となり、さらに全ての客室情報を全てのホストコンピュータで同時に処理することが可能となるので、客室単位で様々なホストコンピュータによる情報管理を行うことが可能となり、多種多様な客室情報を管理することが可能となる。
【００１２】
また、交換機内のデータを変えることなく、ホストコンピュータからデータベースを書換えることによって、客室単位で処理するホストコンピュータを変更することが可能となるため、容易に処理ホストコンピュータの変更を行うが可能となる。
【００１３】
【発明の実施の形態】
次に、本発明の一実施例について図面を参照して説明する。図１は本発明の一実施例によるホテル用構内交換システムの構成を示すブロック図である。図１において、本発明の一実施例によるホテル用構内交換システムはネットワークコントロールノード（ネットワークコントロール交換機）［Ａ（ＮＣＮ）］１と、ローカルネットワークノード（ローカルネットワーク交換機）［Ｂ（ＬＮ），Ｃ（ＬＮ）］２，３と、中継台４と、サーバ５と、客室内電話機６，７と、ホストコンピュータ８〜１０とから構成されている。
【００１４】
ネットワークコントロールノード１及びローカルネットワークノード２，３はそれぞれ通信制御部１１，２１，３１と、通話路スイッチ（ＴＤＳＷ）１４，２４，３４とを有し、ネットワークコントロールノード１には中継台４が接続されている。
【００１５】
また、ネットワークコントロールノード１及びローカルネットワークノード２，３における各種サービス機能制御に必要な情報は局データ記憶メモリ（図示せず）に保持されており、各ノードに固有な情報であるローカル局データ（ＬＤＭ）１２，２２，３２と、各ノードに共通な情報であるネットワーク局データ（ＮＤＭ）１３，２３，３３とを有している。
【００１６】
サーバ５はネットワークコントロールノード１及びローカルネットワークノード２，３にインタネット４０を介して接続され、客室に対応するノードのホストコンピュータ８〜１０を導き出すデータベース５１と、各種情報を各ノードのホストコンピュータ８〜１０に転送するイベント転送回路５２とからなっている。
【００１７】
図２〜図４は本発明の一実施例によるホテル用構内交換システムの動作を示すフローチャートである。図２は同じノードのイベントで別客室をそれぞれ別のノードのホストコンピュータで処理する場合の動作手順を示し、図３は全イベントを全ノードのホストコンピュータで処理する場合の動作手順を示し、図４は処理ホストコンピュータを変更する場合の動作手順を示している。これら図１〜図４を参照して本発明の一実施例によるホテル用構内交換システムの動作について説明する。
【００１８】
まず、図２を参照して同じノードのイベントで別の客室をそれぞれ別のノードのホストコンピュータで処理する場合の動作手順について説明する。以下、客室内電話機６，７がある客室を６，７として説明する。
【００１９】
客室６の宿泊者と客室７の宿泊者とからそれぞれモーニングコールが予約されている場合、中継台４は客室６の宿泊者及び客室７の宿泊者それぞれからのモーニングコールをネットワークコントロールノード１に設定する。
【００２０】
ネットワークコントロールノード１は中継台４から客室６の宿泊者及び客室７の宿泊者それぞれのモーニングコールが設定されると（図２ステップＳ１）、その設定情報から客室内線情報とイベント情報とを検出する（図２ステップＳ２）。
【００２１】
続いて、ネットワークコントロールノード１はインタネット４０を介してサーバ５内のデータベース５１を参照し、それぞれ処理ホストコンピュータのノードを決定する（図２ステップＳ３）。ここで、データベース５１にはその客室情報を処理するホストコンピュータが接続されている処理ノードを示す情報が蓄積されている。
【００２２】
ネットワークコントロールノード１は転送先処理ノードがわかると（図２ステップＳ４）、イベント転送回路５２によってそれぞれ処理ノードのホストコンピュータ８，９に通信制御部２１，１１を経由して情報を送信し（図２ステップＳ５）、それぞれのホストコンピュータ８，９によって客室情報の処理を行う（図２ステップＳ６）。
【００２３】
次に、図３を参照して全てのイベントを全てのノードのホストコンピュータで処理する場合の動作手順について説明する。この場合も、客室内電話機６，７がある客室を６，７として説明する。
【００２４】
全てのイベントを全てのノードのホストコンピュータ８〜１０で処理するために、ホストコンピュータ９からインタネット４０を介してサーバ５内のデータベース５１のデータを客室６に対応するノードを全てのノードと書換える（図３ステップＳ１１）。
【００２５】
客室６の宿泊者からモーニングコールが予約されている場合、中継台４は客室６の宿泊者からのモーニングコールをネットワークコントロールノード１に設定する。ネットワークコントロールノード１は中継台４から客室６の宿泊者のモーニングコールが設定されると（図３ステップＳ１２）、その設定情報から客室内線情報とイベント情報とを検出する（図３ステップＳ１３）。
【００２６】
続いて、ネットワークコントロールノード１はインタネット４０を介してサーバ５内のデータベース５１を参照し、処理ホストコンピュータのノードを決定する（図３ステップＳ１４）。
【００２７】
ネットワークコントロールノード１はその客室情報を処理する全てのノードがわかると（図３ステップＳ１５）、イベント転送回路５２によって全ての処理ノードのホストコンピュータ８〜１０に通信制御部２１，１１，３１を経由して情報を送信し（図３ステップＳ１６）、それぞれのホストコンピュータ８〜１０によって客室情報の処理を行う（図３ステップＳ１７）。
【００２８】
さらに、図４を参照して処理ホストコンピュータを変更する場合の動作手順について説明する。この場合も、客室内電話機６，７がある客室を６，７として説明する。
【００２９】
客室６の宿泊者からモーニングコールが予約されている場合、中継台４は客室６の宿泊者からのモーニングコールをネットワークコントロールノード１に設定する。ネットワークコントロールノード１は中継台４から客室６の宿泊者のモーニングコールが設定されると（図４ステップＳ２１）、その設定情報から客室内線情報とイベント情報とを検出する（図４ステップＳ２２）。
【００３０】
続いて、ネットワークコントロールノード１はインタネット４０を介してサーバ５内のデータベース５１を参照し、処理ホストコンピュータのノードを決定する（図４ステップＳ２３）。
【００３１】
ネットワークコントロールノード１はそのイベントを処理するノードがわかると（図４ステップＳ２４）、イベント転送回路５２によって通信制御部２１を経由しホストコンピュータ８に情報を送信して処理を行う（図４ステップＳ２５）。ホストコンピュータ８はインタネット４０を介してサーバ５内のデータベース５１のデータを客室６に対応するノードをローカルネットワークノード３に書換える（図４ステップＳ２６）。
【００３２】
その後、ネットワークコントロールノード１は中継台４から客室６の宿泊者のモーニングコールが設定されると（図４ステップＳ２７）、その設定情報から客室内線情報とイベント情報とを検出する（図４ステップＳ２８）。
【００３３】
続いて、ネットワークコントロールノード１はインタネット４０を介してサーバ５内のデータベース５１を参照し、処理ホストコンピュータのノードを決定する（図４ステップＳ２９）。
【００３４】
ネットワークコントロールノード１はイベント転送回路５２によってそのイベントを処理する処理ノードのホストコンピュータ１０に通信制御部３１を経由して情報を送信し（図４ステップＳ３０）、ホストコンピュータ１０によってそのイベントの処理を行う（図４ステップＳ３１）。
【００３５】
このように、同じノード内の客室それぞれに処理させるホストコンピュータ８〜１０を別のノードにすることができ、さらに全ての客室情報を全てのホストコンピュータ８〜１０で同時に処理することができるので、客室単位で様々なホストコンピュータ８〜１０による情報管理を行うことができ、多種多様な客室情報管理を行うことができる。
【００３６】
また、交換機内のデータを変えることなく、ホストコンピュータ８〜１０からデータベース５１を書き換えることによって、客室単位で処理するホストコンピュータ８〜１０を変更することができるので、容易に処理ホストコンピュータ８〜１０の変更０行うことができる。
【００３７】
尚、本実施例ではネットワークコントロールノード１及びローカルネットワークノード２，３と、それぞれに接続されているホストコンピュータ８〜１０について述べたが、それらの数に制限はなく、一つのノードに複数のホストコンピュータを接続することも可能である。この場合、処理ホストコンピュータの決定をデータベース５１の内容に基づいて行うため、上記と同様の効果を期待することができ、これによってさらに複雑な客室情報管理が可能となる。
【００３８】
【発明の効果】
以上説明したように本発明によれば、複数の交換機における同じノード別の客室情報をそれぞれ別のノードのホストコンピュータに処理させるホテル用構内交換システムにおいて、複数の交換機に共通に接続されかつ客室に対応したノードを検索するためのデータベースから客室情報を基に処理ノードを検索し、検索された処理ノードのホストコンピュータに客室情報を処理させることによって、多種多様な客室情報の管理を行うことができ、処理ホストコンピュータの変更を容易に行うことができるという効果がある。
【図面の簡単な説明】
【図１】本発明の一実施例によるホテル用構内交換システムの構成を示すブロック図である。
【図２】本発明の一実施例によるホテル用構内交換システムの動作を示すフローチャートである。
【図３】本発明の一実施例によるホテル用構内交換システムの動作を示すフローチャートである。
【図４】本発明の一実施例によるホテル用構内交換システムの動作を示すフローチャートである。
【図５】従来例によるホテル用構内交換システムの構成を示すブロック図である。
【符号の説明】
１  ネットワークコントロールノード
２，３  ローカルネットワークノード
４  中継台
５  サーバ
６，７  客室内電話機
８〜１０  ホストコンピュータ
１１，２１，３１  通信制御部
１２，２２，３２  ローカル局データ
１３，２３，３３  ネットワーク局データ
１４，２４，３４  通話路スイッチ
４０  インタネット
５１  データベース
５２  イベント転送回路
【図１】
0003592231.tif 000002
【図２】
0003592231.tif 000003
【図３】
0003592231.tif 000004
【図４】
0003592231.tif 000005
【図５】
0003592231.tif 000006